(57)【特許請求の範囲】
【請求項１】
ケースと；
複数の基板を有し、複数の基板にそれぞれ電源回路の主回路が搭載され、複数の基板のうち第１の基板に複数の電源回路で共通とするサージ吸収回路が搭載され、複数の基板のうち第２の基板に複数の電源回路で共通とする調光信号処理回路が搭載され、これらサージ吸収回路および調光信号処理回路を他の基板で利用可能にするために複数の基板間が渡り配線で接続されたケース内に収容される基板ユニットと；
を具備していることを特徴とする電源装置。
【請求項２】
基板は、２枚であり、それぞれ電源入力部を有し、これら基板の電源入力部側を互いに対向させてケース内に収納されている
ことを特徴とする請求項１記載の電源装置。
【請求項３】
請求項１または２記載の電源装置と；
電源装置の各電源回路からそれぞれ電源が供給される複数の光源と；
を具備していることを特徴とする照明装置。
【発明の詳細な説明】
【技術分野】
【０００１】
本発明の実施形態は、複数の電源回路を備えた電源装置、およびこの電源装置を用いた照明装置に関する。
【背景技術】
【０００２】
従来、負荷に所定の負荷電源を供給する電源回路を備えた電源装置がある。この電源装置において、負荷電源を供給する負荷が複数ある場合、負荷の数だけ電源装置を用いるのではなく、電源装置の施工性や組立性を考慮して、複数の電源回路を一体に備えた電源装置がある。
【０００３】
この複数の電源回路を一体に備えた電源装置では、複数の電源回路を１つのケース内に収容し、ケースの共通の電源入力部から入力される例えば商用交流電源を各電源回路の入力側にそれぞれ供給し、各電源回路の出力側から各負荷に対して負荷電力をそれぞれ供給している。
【先行技術文献】
【特許文献】
【０００４】
【特許文献１】特開２００３−７１２２号公報
【発明の概要】
【発明が解決しようとする課題】
【０００５】
しかしながら、複数の電源回路を一体に備えた電源装置は、単に、複数の電源回路を１つのケース内に収容しただけの構成であるため、１つにはなるものの、部品点数の削減や、簡素化といったことについては十分な考慮がなされていなかった。
【０００６】
本発明は、このような点に鑑みなされたもので、複数の電源回路を備えながら、部品点数を削減し、簡素化した電源装置、およびこの電源装置を用いた照明装置を提供することを目的とする。
【課題を解決するための手段】
【０００７】
実施形態の電源装置は、ケースを備える。複数の基板を有し、複数の基板にそれぞれ電源回路の主回路が搭載され、複数の基板のうち第１の基板に複数の電源回路で共通とするサージ吸収回路が搭載され、複数の基板のうち第２の基板に複数の電源回路で共通とする調光信号処理回路が搭載され、これらサージ吸収回路および調光信号処理回路を他の基板で利用可能にするために複数の基板間が渡り配線で接続されたケース内に収容される基板ユニットを備える。
【発明の効果】
【０００８】
本発明によれば、電源回路の主回路を複数の基板にそれぞれ搭載し、複数の電源回路で共通とする共通回路を複数の基板のうち１つの基板に搭載し、この共通回路を他の基板で利用可能にするために複数の基板間を渡り配線で接続したため、共通回路を複数の基板にそれぞれ搭載する必要がなく、複数の電源回路を備えながら、部品点数を削減し、電源装置を簡素化することが期待できる。
【図面の簡単な説明】
【０００９】
【図１】一実施形態を示す照明装置の構成図である。
【図２】同上照明装置の各基板に搭載された電源回路の回路図である。
【発明を実施するための形態】
【００１０】
以下、一実施形態を、図１および図２を参照して説明する。
【００１１】
図１において、11は負荷装置としての照明装置で、この照明装置11は、複数であって例えば２系統の負荷あるいは負荷回路である光源12a，12b、およびこれら光源12a，12bにそれぞれ負荷電力として直流電力を供給する１つの電源装置13を備えている。この照明装置11は、例えば、１つの器具本体に２系統の光源12a，12bおよび電源装置13を設けたものでもよいし、光源12a，12bを別々の器具本体にそれぞれ設け、これら光源12a，12bと電源装置13とを電気的に接続したものでもよい。
【００１２】
各光源12a，12bは、半導体発光素子として複数のＬＥＤ15を直列に接続して構成されている。
【００１３】
電源装置13は、例えばアルミニウム製の細長い筒状のケース17、およびこのケース17内に収容された基板ユニット18とを備え、ケース17の一端側が入力部19、他端側が出力部20とされている。入力部19には、商用交流電源21を供給する一対の電源線22が接続され、外部の調光装置23からＰＷＭ信号などの調光信号を入力する一対の調光線24が接続されている。出力部20には、各光源12a，12bを接続する２組の一対の接続線25a，25bが接続されている。
【００１４】
基板ユニット18は、同一形状で細長く形成された複数であって例えば２枚の基板27a，27bを備え、これら基板27a，27bに電源回路28a，28bがそれぞれ搭載されている。詳細には、２枚の基板27a，27bにはそれぞれ電源回路28a，28bの主回路29a，29bが搭載され、一方の（第１の）基板27aのみには複数の電源回路28a，28bで共通化可能とする回路構成である共通回路30が搭載され、他方の（第２の）基板27b側で共通回路30を利用可能とするために２枚の基板27a，27b間が一対の渡り配線31で電気的に接続されている。
【００１５】
基板27a，27bには、長手方向の一端側に電源入力部32が形成され、他端側に負荷出力部33が形成され、これら基板27a，27bの電源入力部32側を互いに対向させた状態でケース17内に収納されている。ケース17内において、ケース17の入力部19と基板27a，27bの電源入力部32との間には商用交流電源21の電源線22と接続される電源入力配線34がそれぞれ接続され、ケース17の入力部19と一方の基板27aの電源入力部32あるいはその他の入力部との間には調光装置23の調光線24と接続される信号入力配線35が接続され、ケース17の出力部20と基板27a，27bの負荷出力部33との間には光源12a，12bの接続線25a，25bと接続される負荷出力配線36a，36bが接続されている。
【００１６】
共通回路30としては、雷サージなどの異常電圧を吸収して回路を保護するサージ吸収回路38、および調光装置23から入力される調光信号を処理する調光信号処理回路39などが含まれている。
【００１７】
次に、図２に照明装置11の各基板27a，27bに搭載された電源回路28a，28bの回路図を示す。
【００１８】
まず、一方の基板27aに搭載された電源回路28aについて説明する。
【００１９】
商用交流電源21に共通回路30の一部であるサージ吸収回路38が接続され、さらに、主回路29aの一部を構成する交流電源を全波整流する全波整流回路41の入力端が接続されている。全波整流回路41の出力端に直流電圧を昇圧する昇圧チョッパを主体とする力率改善（ＰＦＣ）回路42の入力端が接続され、この力率改善回路42の出力端に直流電圧を降圧して直流電圧変換動作を行う降圧チョッパを主体する直流コンバータ43が順に接続され、直流コンバータ43の出力端に一方の光源12aが接続されている。
【００２０】
これら力率改善回路42および直流コンバータ43を制御回路44によって制御する。この制御回路44は、力率改善回路42の出力端から電圧検出部45によって検出される出力電圧を入力し、さらに、調光装置23からの調光信号を入力し、力率改善回路42および直流コンバータ43を制御して光源12aを調光点灯させる。
【００２１】
調光装置23に共通回路30の一部である調光信号処理回路39が接続されている。この調光信号処理回路39は、調光装置23から入力される調光信号を全波整流する全波整流回路47、および電流調整や過電圧保護を行う保護回路48を備えている。
【００２２】
この調光信号処理回路39の出力端に、主回路29aの一部を構成するフォトカプラ49のフォトダイオード50が接続されている。このフォトカプラ49のフォトトランジスタ51が調光信号出力回路52に接続され、この調光信号出力回路52から制御回路44に調光信号が出力される。
【００２３】
したがって、一方の基板27aには、全波整流回路41、力率改善回路42、直流コンバータ43、制御回路44、電圧検出部45、フォトカプラ49のフォトダイオード50および調光信号出力回路52などを含む主回路29aと、サージ吸収回路38および調光信号処理回路39などを含む共通回路30とが搭載されている。
【００２４】
続いて、他方の基板27bに搭載された電源回路28bについて説明する。
【００２５】
他方の基板27bには、一方の基板27aに搭載された主回路29aと同じ構成の主回路29bのみが搭載され、共通回路30は搭載されていない。
【００２６】
すなわち、他方の基板27bには、全波整流回路41、力率改善回路42、直流コンバータ43、制御回路44、電圧検出部45、フォトカプラ49のフォトダイオード50および調光信号出力回路52などを含む主回路29bのみが搭載されている。
【００２７】
次に、電源装置13の動作について説明する。
【００２８】
電源装置13に投入される商用交流電源21は、各基板27a，27bにそれぞれ投入される。これにより、各基板27a，27bの電源回路28a，28bにおいて、それぞれ、全波整流回路41で交流電力を直流電圧に変換し、力率改善回路42で直流電圧を昇圧して力率改善し、直流コンバータ43で直流電圧を降圧して所定値に調整し、光源12a，12bに出力する。その結果、各光源12a，12bのＬＥＤ15に負荷電流が流れ、各光源12a，12bのＬＥＤ15が点灯する。
【００２９】
また、一方の基板27aにおいて、調光装置23から伝送される調光信号が調光信号処理回路39に入力され、この調光信号処理回路39から出力される調光信号がフォトカプラ49のフォトダイオード50およびフォトトランジスタ51を経て調光信号出力回路52から制御回路44に出力される。また、調光信号処理回路39から出力される調光信号は、一方の基板27aから渡り配線31を通じて他方の基板27bに伝送される。他方の基板27bにおいて、一方の基板27aの調光信号処理回路39から出力される調光信号がフォトカプラ49のフォトダイオード50およびフォトトランジスタ51を経て調光信号出力回路52から制御回路44に出力される。
【００３０】
そして、各基板27a，27bにおいて、制御回路44は、電圧検出部45で検出される出力電圧および調光信号出力回路52から出力される調光信号を入力し、力率改善回路42および直流コンバータ43の動作を制御し、各光源12a，12bのＬＥＤ15を調光点灯させる。
【００３１】
このように構成された電源装置13によれば、電源回路28a，28bの主回路29a，29bを２枚の基板27a，27bにそれぞれ搭載し、複数の電源回路28a，28bで共通化可能とする共通回路30を１つの基板27aのみに搭載し、他方の基板27a側で共通回路30を利用可能とするために基板27a，27b間を渡り配線31で接続したため、共通回路30を２枚の基板27a，27bにそれぞれ搭載する必要がなく、２つの電源回路28a，28bを備えながら、共通回路30の１つ分の部品点数を削減し、電源装置13を簡素化することができる。
【００３２】
また、２枚の基板27a，27bは、形状が同一であるため、共通化でき、安価に構成できる。
【００３３】
また、２枚の基板27a，27bの電源入力部32側を互いに対向させてケース17内に収納しているため、２枚の基板27a，27bの電源入力部32側と負荷出力部33側との沿面距離を容易に確保でき、２枚の基板27a，27bをケース17内にコンパクトに収容でき、電源装置13を小形化できる。
【００３４】
さらに、ケース17の一端側を電源入力部32とし、他端側を負荷出力部33として分離することにより、ケース17内での入力側と出力側との分離を容易にでき、入力側と出力側との相互の電磁的な干渉による雑音の発生を抑制できる。
【００３５】
なお、共通回路30としては、例えば、サージ吸収回路38に代えて、あるいはサージ吸収回路38とともに商用交流電源21に接続される雑音防止回路でもよい。
【００３６】
また、共通回路30は、基板27a，27bのうちのいずれか１つのみに搭載してもよいし、例えば、一方の基板27aのみにサージ吸収回路38を搭載し、他方の基板27bのみに調光信号処理回路39を搭載するというように、基板27a，27bに分散して搭載してもよい。
【００３７】
また、電源回路13は、基板27a，27bおよび電源回路28a，28bなどを２系統だけ備えたが、３系統や４系統、あるいはそれ以上の系統を備えていてもよい。
【００３８】
また、照明装置11は、光源12a，12bにＬＥＤ15を用いたものに限らず、蛍光ランプや放電ランプなどのランプを用いたものでも同様に適用することができる。
【００３９】
また、電源装置13は、負荷として光源12a，12bを有する照明装置11に限らず、モータなどの負荷を有する負荷装置にも適用できる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
11    照明装置
12a，12b    光源
13    電源装置
17    ケース
18    基板ユニット
27a   第１の基板としての基板
27b   第２の基板としての基板
28a，28b    電源回路
29a，29b    主回路
30    共通回路
31    渡り配線
32    電源入力部
38 サージ吸収回路
39 調光信号処理回路
【図１】
0005598660.tif 000002
【図２】
0005598660.tif 000003